(57)【要約】【課題】  大量に発生する浚渫土砂や、コンクリート塊廃材、雑割石・中割石を内部に収容可能な構造で、組み立て設置が容易な漁礁ブロックを提供することを課題とする。【解決手段】  方形状の基礎材と４枚の梯形状のパネル板とにより空洞を形成させ、その空洞へ浚渫土砂及び／又はコンクリート塊、雑割石・中割石を投入するための方形状孔を形成させた四角錘形状の魚礁ブロックであって、基礎材は、その外周にＨ鋼或は溝型鋼の枠部材を設け、その角隅には魚礁ブロック移送用の吊金具取付ネジ・孔を設け、パネル板の一方の表面には貝殻・自然石混じりのコンクリート層を形成させた構造とし、基礎材の外周に沿う各辺には、それぞれ前記パネル板を受留める複数の受留部材をさらに設け、基礎材と各パネル板の間の三角状間隙溝、並びに前記パネル板の隣接間の三角状間隙溝がコンクリート及び／又は接着剤で充填され一体的に固定されていることを特徴とする。【選択図】          図１
2006254840.tif 000002
【特許請求の範囲】
【請求項１】
方形状の基礎材と４枚の梯形状のパネル板とにより空洞を形成させ、その空洞へ浚渫土砂及び／又はコンクリート塊、雑割石・中割石とコンクリート（生コン）を少なくとも投入するための方形状孔を形成させた四角錘形状の魚礁ブロックであって、
前記基礎材は、その外周に方形状にＨ鋼或は溝型鋼の枠部材を設け、その枠部材の内側にはメッシュ状をなす複数の金属棒（鉄筋）と、必要に応じて補助枠部材を設けてコンクリートにより一体化させ、その方形状の４箇所の角隅にはそれぞれ魚礁ブロック移送用の吊金具取付ネジ・孔を設けた構造とし、
前記パネル板は、その対向する４枚のパネル板は少なくとも同一寸法の梯形状とし、その梯形状の底辺長Ｔは、前記基礎材方形状各辺長Ｗより前記吊金具取付ネジ／孔を除く長さにほぼ合わせ、前記梯形状の上辺長Ｓは、前記方形状の各辺に合わせ、その底辺と斜辺とのなす底辺角度θが、９０度より十分小さく且つ４５度より十分大きい範囲に入るように梯形の高さＬを定め、その梯形の各外周に沿ってＨ鋼或は溝型鋼の枠部材を設け、その枠部材の内側にはメッシュ状をなす複数の金属棒（鉄筋）と必要に応じて補助枠部材を設けてコンクリートにより一体化させ、さらにパネルの一方の表面には貝殻・自然石混じりのコンクリート層を形成させた構造とし、
前記基礎材の外周に沿う各辺には、それぞれ前記パネル板を受留める複数の受留部材をさらに設け、
前記魚礁ブロックは前記基礎材の各辺上の前記受留部材の上に前記パネル板を載せて、前記基礎材の中心部へ向かって隣接する前記パネル板の前記斜辺が互いに接触するまで倒して形成させた四角錐の構造として、
さらに、前記基礎材と各パネル板の間の三角状間隙溝、並びに前記パネル板の隣接間の三角状間隙溝がコンクリート及び／又は接着剤で充填され一体的に固定されていることを特徴とするパネル組立式魚礁ブロック。
【請求項２】
請求項１記載の基礎材の中心に支柱部材を起立させる結合孔又はネジ孔部を設け、その中心支柱部材の所定位置に請求項１記載のパネル板の上辺長Ｓからなる方形状孔の各辺方向にＳに一致する寸法のパネル板仮留部材を備え、
基礎材の各辺に設けられた受留部材上にパネル板を載せ、それぞれ中心支柱部材に向かってパネル上端を倒して、４枚のパネル板を仮留部材で仮留し、請求項１記載の各三角状間隙溝にコンクリート及び／又は接着剤を充填して固定することを特徴とする魚礁ブロックの組立方法。
【請求項３】
前記基礎材と各パネル板間の三角状間隙溝は、基礎材のパネル受留部材の先端を釣鐘状に形成し、
一方、パネル板の板部材の貫通する金属棒又はメッシュ材（鉄筋）の先端も釣鐘状に形成し、それらの釣鐘状の先端曲線中心を通る一本又は複数本の接続棒を挿入してからコンクリートにより充填固定することを特徴とする請求項２記載の漁礁ブロックの組立方法
【請求項４】
前記隣接パネル板間の三角状間隙溝は、それぞれパネル板の底面に平行なメッシュ材（鉄筋）をそのパネル板枠材を貫通させ、さらに、その両端を釣鐘状に形成し、それらの釣鐘状の先端曲線中心を通る一本又は複数本の接続棒を挿入してからコンクリートにより充填固定することを特徴とする請求項２又は３記載の漁礁ブロックの組立方法。
【発明の詳細な説明】
【技術分野】
【０００１】
本発明は海底などの所定の位置を漁場とするため、沈めて魚の漁礁とするブロックに関し、特に、基礎材の上にパネル板を組み立てた集魚効果の高い大型のパネル組立式漁礁ブロックに関する。
【背景技術】
【０００２】
一般に、漁礁ブロックは、多数個作成して海底に配設しなければならないので、その漁礁を量産するには比較的単純な形状（例えば直方体、立方体、六角筒など）が製造されていた。
【０００３】
また、それらの漁礁ブロックは、空洞にせず、大部分コンクリートだけで形成される構成であったので、単位ブロック当たりの大きさの割に重量が大きく、コンクリート使用量の膨大な漁礁ブロック群を形成することとなっていた。
【０００４】
そこで、単位漁礁ブロック当たりのコンクリート使用量を減らすために以下のような考案があった。すなわち、ブロックを形成する所定の大きさの板材で囲まれた枠体内にコンクリートをある程度流し込んでから、所定の時間をかけて固め、固まったところに複数本の古タイヤを置いて、さらにコンクリートを流し込み、古タイヤが隠れて所定の形状の大きさになるまでコンクリートを流し込む方法で製作された漁礁ブロックが特許文献１に開示されている。
【０００５】
この、特許文献１の漁礁ブロックは、そのブロックの貫通孔や、古タイヤの内部空洞と、さらにそれら漁礁ブロックを多数海底にピラミッド状の積み上げてなるブロック群全体で魚の棲家を形成させる大規模な構成としている。
【０００６】
また、特許文献２には、貯水槽或いは漁礁に用いることができる製造、組立てが容易で、運搬・保管効率が優れているブロック組立体の考案が開示されている。
【０００７】
特許文献２のブロック組立体は、六角筒の形態とするため２個の半筒形ブロックを組合せて製造しており、漁礁とする場合は六角筒の両端面に開口窓のコンクリート枠材を接合する構成となるため、漁礁として利用する場合は、構造的に複雑な形状の組立となる問題があった。
【０００８】
【特許文献１】実開平６−７５１５７号公報（第２頁、第１図）
【特許文献１】登録実用新案  第３０２２０８３号公報（第２頁、第５図）
【発明の開示】
【発明が解決しようとする課題】
【０００９】
本発明は、大量に発生する浚渫土砂や、コンクリート廃材、雑割石・中割石を内部に収容可能な構造で、組み立て設置が容易な漁礁ブロックを提供することを課題とする。
【課題を解決するための手段】
【００１０】
前記課題を解決するため、本発明のパネル組立式魚礁ブロックは、方形状の基礎材と４枚の梯形状のパネル板とにより空洞を形成させ、その空洞へ浚渫土砂及び／又はコンクリート塊、雑割石・中割石とコンクリート（生コン）を少なくとも投入するための方形状孔を形成させた四角錘形状の魚礁ブロックであって、
前記基礎材は、その外周に方形状にＨ鋼或は溝型鋼の枠部材を設け、その枠部材の内側にはメッシュ状をなす複数の金属棒（鉄筋）と、必要に応じて補助枠部材を設けてコンクリートにより一体化させ、その方形状の４箇所の角隅にはそれぞれ魚礁ブロック移送用の吊金具取付ネジ・孔を設けた構造とし、
前記パネル板は、その対向する４枚のパネル板は少なくとも同一寸法の梯形状とし、その梯形状の底辺長Ｔは、前記基礎材方形状各辺長Ｗより前記吊金具取付ネジ／孔を除く長さにほぼ合わせ、前記梯形状の上辺長Ｓは、前記方形状の各辺に合わせ、その底辺と斜辺とのなす底辺角度θが、９０度より十分小さく且つ４５度より十分大きい範囲に入るように梯形の高さＬを定め、その梯形の各外周に沿ってＨ鋼或は溝型鋼の枠部材を設け、その枠部材の内側にはメッシュ状をなす複数の金属棒（鉄筋）と必要に応じて補助枠部材を設けてコンクリートにより一体化させ、さらにパネルの一方の表面には貝殻・自然石混じりのコンクリート層を形成させた構造とし、
前記基礎材の外周に沿う各辺には、それぞれ前記パネル板を受留める複数の受留部材をさらに設け、
前記魚礁ブロックは前記基礎材の各辺上の前記受留部材の上に前記パネル板を載せて、前記基礎材の中心部へ向かって隣接する前記パネル板の前記斜辺が互いに接触するまで倒して形成させた四角錐の構造として、
さらに、前記基礎材と各パネル板の間の三角状間隙溝、並びに前記パネル板の隣接間の三角状間隙溝がコンクリート及び／又は接着剤で充填され一体的に固定されていることを特徴とする。
【００１１】
また、本発明の魚礁ブロックの組立方法は、請求項１記載の基礎材の中心に支柱部材を起立させる結合孔又はネジ孔部を設け、その中心支柱部材の所定位置に請求項１記載のパネル板の上辺長Ｓからなる方形状孔の各辺方向にＳに一致する寸法のパネル板仮留部材を備え、
基礎材の各辺に設けられた受留部材上にパネル板を載せ、それぞれ中心支柱部材に向かってパネル上端を倒して、４枚のパネル板を仮留部材で仮留し、請求項１記載の各三角状間隙溝にコンクリート及び／又は接着剤を充填して固定することを特徴とする。
【００１２】
また、前記基礎材と各パネル板間の三角状間隙溝は、基礎材のパネル受留部材の先端を釣鐘状に形成し、
一方、パネル板の板部材の貫通する金属棒又はメッシュ材（鉄筋）の先端も釣鐘状に形成し、それらの釣鐘状の先端曲線中心を通る一本又は複数本の接続棒を挿入してからコンクリートにより充填固定することを特徴とする。
【００１３】
また、前記隣接パネル板間の三角状間隙溝は、それぞれパネル板の底面に平行なメッシュ材（鉄筋）をそのパネル板枠材を貫通させ、さらに、その両端を釣鐘状に形成し、それらの釣鐘状の先端曲線中心を通る一本又は複数本の接続棒を挿入してからコンクリートにより充填固定することを特徴とする。
【発明の効果】
【００１４】
本発明のパネル組立式漁礁ブロック及びその組立て方法は以下に示す効果を呈する。
【００１５】
（１）従来の漁礁に比較して、同量のコンクリート重量で大型の漁礁ブロックを製造することができる。
【００１６】
（２）漁礁ブロックは単純な形状の方形状基礎材と、梯形状の４枚のパネル板を組み合わせて、空洞容積の大きい角錐体を形成させ、その上部に同時に自然に形成される開口窓より浚渫土砂、コンクリート塊、雑割石・中割石などを投入することができる。
【００１７】
（３）その角錐体の傾斜角度、高さ、開口窓寸法などの変化があっても、基礎材と４枚のパネル板との接触部である三角状間隙溝で張力に充分耐える構造で接続することができる。
【００１８】
（４）前記組立てられた漁礁ブロックは角筒状でなく、必要最小限の枠窓を持つ角錐体なので、パネル板表面を貝殻、自然石交じりのコンクリート層にしておけば、それらの傾斜面上の凸凹面に昆布などが繁茂し易くなる。すなわち、側面が漁礁として有効な面となる。
【発明を実施するための最良の形態】
【００１９】
本発明を実施する最良の形態を図に基づいて詳細に説明する。
【００２０】
図１は本発明のパネル組立式漁礁ブロックの構造図である。ここで、（ａ）は平面図、（ｂ）は側面図、（ｃ）はＸ−Ｘ断面図を示す。１０は漁礁ブロックの基礎材である。この例では正方形の場合を示す。この基礎材１０の各辺長Ｗは５ｍ、厚さＶは２０ｃｍ程度の大きさのコンクリート材のブロックである。
【００２１】
基礎材１０の４隅には、それぞれ漁礁移送用の吊金具２０を取り付ける吊金具取付けネジ又は孔１９がある。これに吊金具２０を取付け、漁礁ブロックを吊下げて移送し海底の所定位置に設置することができる。
【００２２】
基礎材１０の４辺にはそれぞれ梯形状のパネル板１、２、３、４の底辺Ｔが載り、それらのパネル板の上辺Ｓを、基礎材１０の中心に向かって傾斜させ定期、それぞれ隣接するパネル板の斜辺傾斜辺が接触するまで傾斜させる。そのとき中心部に４つの上辺Ｓにより方形状孔Ｒが形成される。
【００２３】
１１は、基礎材１０の４辺の枠部材であり、大型のコンクリート材を固定するために、Ｈ鋼或いはコ型の溝型鋼の枠部材を用いる。
【００２４】
１２は、傾斜したパネル板１、２、３、４を受留めるためのパネル板受留部材であり、各パネル板についてそれぞれ複数の受留部材１２で受留めている。その拡大図を図１（ｂ）に示す。
【００２５】
Ｐは、基礎材１０と、傾斜させたパネル板１、２、３、４の間の４箇所の三角状間隙溝である。この間隙溝Ｐはコンクリート及び／又は接着剤を混ぜたコンクリートで充填する。
【００２６】
なお、四角錘の空洞内に投入する浚渫土砂或いはコンクリート塊、雑割石・中割石などの重量に充分耐える強度とするため、間隙溝Ｐ、Ｑにさらに鉄筋を入れて張力を強化したコンクリートとして充填するようにしてもよい。この具体的な構造については後述する。
【００２７】
図２は、パネル板１、２、３、４の梯形形状図を示す。Ｔは底辺の長さ、Ｓは上辺の長さ、Ｌは梯形の高さを示す。θは底辺と傾斜辺とのなす角度を示す。Ｄはパネル板の厚さを示す。
【００２８】
なお、底辺の長さＴは基礎材１０の一辺の長さＷより、吊金具取付けネジ１９の占める範囲を除く長さに設定する。
【００２９】
ここで、傾斜辺角度θと梯形の底辺Ｔ、上辺Ｓ、高さＬとの関係式は次式で表される。
ｔａｎθ＝｛（Ｔ−Ｓ）／２｝／Ｌ
【００３０】
その傾斜辺角度θは以下の条件を満足する必要がある。
９０°＞θ＞４５°
【００３１】
θが４５°以下では四角錘を形成できない。従って空洞も形成できない。又θが４５°付近では空洞の容積が少ない。一方θが９０°付近では四角筒になり必要最小限の大きさの方形状孔Ｒは形成されず、空洞の上部に開口窓のコンクリートの枠材が必要となる。
【００３２】
空洞の容積が大きく且つ方形状孔Ｒが必要最小限の大きさとなる傾斜辺角度θの最適値は約５０°〜６０°の範囲にある。
【００３３】
図３は基礎材１０の構造図の一実施例を示し、（ａ）は平面図、（ｂ）はＹ−Ｙ断面図、（ｃ）はＸ−Ｘ断面図、（ｄ）、（ｅ）は高密度のメッシュ鉄筋棒の断面図である。ｆ）は基礎材１０本体のコンクリート材の終端にあるＨ鋼枠部材１１の場合を示し、（ｇ）はコ型状の溝型鋼枠部材１１の場合を示す。
【００３４】
基礎材１０の内部の張力を増加させ、空洞内部に投入する浚渫土砂、コンクリート塊、雑割石・中割石などの重量に耐えるように多数のメッシュ用鉄筋棒１３及び基礎材用補助枠材１７とで方形状の枠部材１１を補強した例を示している。
【００３５】
（ｄ）、（ｅ）は、そのメッシュの密度を高くした場合であり、さらに重量に耐えるようにしている。なおこの場合の平面図は図示を省略している。
【００３６】
図４はパネル板の構造図の一実施例を示し、（ａ）、（ｂ）はいずれも梯形状のパネル板１、２、３、４の周縁部は溝型鋼枠部材１４で囲まれている。ここで（ａ）はその枠部材１４を補強する補助枠材１５と鉄筋棒１３及び結合用金属棒１６を用いた場合を示す。Ｄはパネル板の厚さを示す。（ｂ）は、その枠部材１４を補強するメッシュ上鉄筋棒１３を使用した場合を示す。
【００３７】
パネル板の底辺及び傾斜辺においては前記鉄筋棒１３及び結合用金属棒１６はいずれもその枠材１４を貫通して外側に突出させ、パネル板の底辺及び傾斜辺に沿う前記三角状間隙溝Ｐ、Ｑの溝中心に位置するようにしてコンクリートを充填させた場合、その張力強度を増加させる。なお、この詳細な説明は図７の説明図で後述する。
【００３８】
図５は、図４における底辺Ｔ及び上辺ＳをそれぞれＭだけ長くした場合のパネル板の構造図である。梯形の高さＬ、傾斜角θ、厚さＤは同じ寸法である。
【００３９】
基礎材１０が方形状であり、一辺がＭだけ長い場合は、それに合わせて図５のように底辺及び上辺がＭだけ長い梯形を、その基礎材１０の長い辺状に載せて、四角錘を形成させればよい。
【００４０】
その四角錘の上部には方形状孔Ｒ（Ｓ´とＳ＋Ｍの辺）が自然に形成される。
【００４１】
具体的な寸法として図６に示されているが、基礎材１０の各辺Ｗが５ｍの場合とした。
パネル板の梯形底辺Ｔは４．４４ｍ、上辺Ｓは２．４ｍ、すなわち方形状孔Ｒは２．４ｍ×２．４ｍの面積を有する。また、この方形状孔Ｒは、基礎材１０底面から１．５ｍの位置にある。なお、パネルいたの梯形の高さＬは１．６２ｍ、傾斜辺角度θは約５８°である。（図６（ｄ）参照）
【００４２】
基礎材１０、パネル板１、２、３、４は、それぞれ相当の重量があり、それぞれクレーンにより吊上げて組み立て及び運搬する必要がある大型の漁礁ブロックである。
【００４３】
基礎材１０は、その四隅に吊上げ及び運搬するための吊金具取付ネジ／孔１９（図１参照）を備えているが、パネル板１、２、３、４では、上辺Ｓの付近に吊金具取付ネジ／孔１９を設ける（図４、５に示す）。
【００４４】
図６は、クレーンを用いた漁礁ブロックのパネル板の組立を説明する図であり、（ａ）は平面図、（ｂ）はＹ−Ｙ断面図、（ｃ）はＸ−Ｘ断面図、（ｄ）はパネル板１−４の平面図である。
【００４５】
基礎材１０の中心を通る補助枠部材１７に対して中心支柱部材５１を中心軸に沿って起立させるための結合孔又はネジ孔部５２を設ける。
【００４６】
基礎材１０の上に、４枚のパネル板１、２、３、４を載せる前に、先ず基礎材１０の中心に中心支柱部材５１を起立させネジ孔部５２で固定させる。
【００４７】
次に、中心支柱部材５１の法形状孔Ｒが形成されると予測される位置に図のようにパネル板仮留部材アングル５０を固定する。これはネジ留めなどでよい。また、Ｘ方向とＹ方向にそれぞれＳの長さのアングル５０がネジ留めされる。
【００４８】
次に、クレーンによりパネル板を一枚ずつ、先ず底面をパネル板受留部材１２へ載せて内側に倒して、前記パネル板仮留部材アングル５０で仮留させる。
【００４９】
残りのパネル板も同様に繰り返して４枚とも仮留する。ここで、基礎材１０とパネル板１、２、３、４の間の三角状間隙溝Ｐ、隣接パネル板間の三角状間隙溝Ｑがそれぞれ４箇所形成される。
【００５０】
それらの三角状間隙溝Ｐ、Ｑは、それぞれ梯形の底面及び傾斜辺の枠部材を貫通した鉄筋棒１３も含めて、コンクリート又は／及び接着剤を含むコンクリートにより充填する。
【００５１】
前記コンクリートが固化した後で、前記中心支柱部材５１とパネル板仮留部材アングル５０を引き抜く。
【００５２】
次に、形成された方形状孔Ｒより浚渫土砂９１、コンクリート塊９３をいれ、その上部に中詰めコンクリート（生コン）９０を注入する。又は中詰めコンクリート９０又は雑割・中割石９２を空洞に詰める。図示しないが、浚渫土砂９１、コンクリート塊９３、雑割・中割石９２のいずれかを複合して投入し、上部にそれらが流出しないように中詰めコンクリート（生コン）９０を注入することができることは勿論である。（図８参照）
【００５３】
最後に、これら漁礁ブロックを吊金具取付ネジ／孔１９に吊金具２０を取付け、クレーンで移動させ、運搬し、海底の所定の位置へ沈めて、必要な個数設置する。
【００５４】
状況に応じては、海底に運搬して沈めてから、浚渫土砂９１や、コンクリート塊９３、雑割・中割石９２を空洞に充填して、海中で中詰めコンクリート９０を注入してもよい。
【００５５】
海底では、時間の経過と共に、パネル表面の貝殻／自然石９９まじりコンクリート１８層の凸凹表面に昆布などの海藻が繁茂して魚の棲家として最適な漁礁が形成される。（図８（ｂ）参照）
【００５６】
図７は基礎材１０及びパネル板１、２、３、４の各間の三角状間隙溝Ｐ及びＱの接続例を示す。（イ）は基礎材とパネル板間の三角状間隙溝Ｐの場合の接続図を示す。
【００５７】
図７（ａ）はパネル板受留部材１２の位置での三角状間隙溝Ｐ断面図である。パネル板受留部材１２ＮＯ先端部１２ａは、三角状間隙溝Ｐに対して平行方向へ配設する鉄筋棒の接続部材１００を囲むように曲げた釣鐘形状に形成させる。
【００５８】
一方（ｂ）は、パネル板の鉄筋棒又はメッシュ材１３の位置での三角状間隙溝Ｐの断面図である。パネル板の鉄筋棒又はメッシュ材１３の先端部１３ａは、前記接続部材１００を囲むように曲げた釣鐘形状に形成させる。
【００５９】
以上のようにすれば、基礎材１０の一辺の受留部材１２の上にパネル板を載せると、前記接続先端釣鐘部１２ａ、１３ａの曲り孔に接続部材（鉄筋棒）１００を挿入して、基礎材１０へパネル板１、２、３、４をそれぞれ接続させる。ここで、その接続部を鉄筋棒としてその三角状間隙溝Ｐへコンクリートを充填すればよい。
【００６０】
（ロ）は４枚のパネル板が隣接するパネル板間の三角状間隙溝Ｑの場合の接続図を示す。図７（ｃ）は、パネル板底面に平行となるメッシュ材１３（基礎板１０の平面にも平行する）の位置での三角状間隙溝Ｑの断面図である。
【００６１】
（ｃ）の下側にパネル板１の水平断面を示し、右側に隣接するパネル板２の水平断面を示す。パネル板１、２の三角状間隙溝Ｑは、この例では直角三角形状である。
【００６２】
この三角状間隙溝Ｑで、それぞれの枠部材１４の端面の中心孔から、それぞれのメッシュ材１３の先端が突出し、さらに、その先端部は（イ）の場合と同様に接続先端釣鐘部１３ａを形成させている。
【００６３】
接続部材１００、すなわち鉄筋棒をそれらの釣鐘部１３ａに挿入して接続させ、この状態でコンクリートを充填する。
【００６４】
なお、図７（ｃ）では、その接続位置において、同時にパネル板１及び２の各メッシュ材１３が重なるように図示してあるが、勿論その位置はずれていてもよい。むしろ、重ならないようにメッシュ材１３が引き出されているほうがよい。
【００６５】
なお、この実施の形態では、基礎材１０は正方形状のコンクリートとしたが、いずれかの辺が長い長方形であってもよい。また、基礎材用枠部材１１に鉄板を溶接し基礎材１０としてもよい。この場合コンクリートに比べて軽量化することができる。
【図面の簡単な説明】
【００６６】
【図１】本発明のパネル組立式漁礁ブロックの構造図で、（ａ）は平面図、（ｂ）は側面図、（ｃ）はＸ−Ｘ断面図である。
【図２】パネル板の梯形形状図で、（ａ）は平面図、（ｂ）は側面図、（ｃ）は底面図である。
【図３】基礎材１０の構造図の一実施例を示し、（ａ）は平面図、（ｂ）はＹ−Ｙ断面図、（ｃ）はＸ−Ｘ断面図、（ｄ）、（ｅ）は高密度のメッシュ鉄筋棒の断面図である。ｆ）は基礎材１０本体のコンクリート材の終端にあるＨ鋼枠部材１１の場合を示し、（ｇ）はコ型状の溝型鋼枠部材１１の場合を示す図である。
【図４】パネル板の構造図で、（ａ）は補助枠材付の平面図、（ｂ）はメッシュ型の平面図である。
【図５】別の形態のパネル板の構造図で、（ａ）は補助枠材付の平面図、（ｂ）はメッシュ型の平面図である。
【図６】クレーンを用いた漁礁ブロックのパネル板の組立を説明する図であり、（ａ）は平面図、（ｂ）はＹ−Ｙ断面図、（ｃ）はＸ−Ｘ断面図、（ｄ）はパネル板１−４の平面図である。
【図７】基礎材、パネル板間の三角状間隙溝の接続実施例を示し、（ａ）はパネル板受留部材１２の位置での三角状間隙溝Ｐ断面図、（ｂ）はパネル板鉄筋棒又はメッシュ材１３の位置での三角状間隙溝Ｐの断面図、（Ｃ）はパネル板底面に平行となるメッシュ材１３（基礎板１０の平面にも平行する）の位置での三角状間隙溝Ｑの断面図である。
【図８】海底に沈める漁礁空洞実装内容の実施例を示す図で、（ａ）は漁礁断面図、（ｂ）はパネル板断面図である。
【符号の説明】
【００６７】
１、２、３、４  パネル板（梯形状）
１０  基礎材（方形状）
１１  基礎材用枠部材（Ｈ鋼、溝型鋼等）
１２  パネル板受留部材
１２ａ  接続先端釣鐘部
１３  メッシュ材、鉄筋棒
１３ａ  接続先端釣鐘部
１４  パネル板用枠部材（Ｈ鋼、溝型鋼等）
１５  パネル板用補助枠部材
１６  結合用金属棒
１７  基礎材用補助枠部材
１８  パネル板用貝殻／自然石まじりコンクリート表面
１９  魚礁移送用吊金具取付ネジ／孔
２０  吊金具
５０  パネル板仮留部材アングル
５１  中心支柱部材
５２  結合孔又はネジ孔部
９０  中詰めコンクリート（生コン）
９１  浚渫土砂
９２  雑割・中割石
９３  コンクリート塊
９９  貝殻・自然石
１００  接続部材（鉄筋棒）
Ｐ  基礎材とパネル板間の三角状間隙溝
Ｑ  隣接パネル板間の三角状間隙溝
Ｒ  方形状孔
【図１】
2006254840.tif 000003
【図２】
2006254840.tif 000004
【図３】
2006254840.tif 000005
【図４】
2006254840.tif 000006
【図５】
2006254840.tif 000007
【図６】
2006254840.tif 000008
【図７】
2006254840.tif 000009
【図８】
2006254840.tif 000010